(57)【要約】【課題】画像不良が無く、ポリゴンミラーを安定して回転させることができるとともに、異音が発生しない経済的な光書込み装置及び画像形成装置の提供を目的としている。【解決手段】本発明の光書込み装置は、少なくとも１つの近接するレ−ザ光源を有し、該レ−ザ光源から出射されたレ−ザ光を回転するポリゴンミラ−１５ａを使用して偏向・走査するポリゴンモ−タ１５ｂと、ポリゴンミラ−１５ａにより走査される１つ以上のレ−ザ光を感光体１上へ結合させるレンズ系と、ポリゴンモータ１５ｂおよび前記レンズ系を保持するハウジング１２と、少なくともポリゴンモ−タ１５ｂおよび前記レンズ系を覆ってハウジング１２内を密閉するように固定されるカバ−１９とを備え、ハウジング１２またはカバ−１９には、レ−ザ光を出射するための開口部が複数箇所存在することを特徴とする。【選択図】    図１
2004279632.tif 000002
【特許請求の範囲】
【請求項１】
少なくとも１つの近接するレ−ザ光源を有し、該レ−ザ光源から出射されたレ−ザ光を回転するポリゴンミラ−を使用して偏向・走査するポリゴンモ−タと、
前記ポリゴンミラ−により走査される１つ以上のレ−ザ光を感光体上へ結合させるレンズ系と、
前記ポリゴンモータおよび前記レンズ系を保持するハウジングと、
少なくとも前記ポリゴンモ−タおよび前記レンズ系を覆ってハウジング内を密閉するように固定されるカバ−と、
を備え、
前記ハウジングまたは前記カバ−には、レ−ザ光を出射するための開口部が複数箇所存在し、これらの開口部のうちの少なくとも１つからレーザ光が出射し、それ以外の開口部はレーザ光が通過しないように遮光されることを特徴とする光書込み装置。
【請求項２】
前記複数の開口部のうち、レ−ザ光が通過する開口部以外の開口部は、レ−ザ光が通過しないように遮光されていることを特徴とする請求項１に記載の光書込み装置。
【請求項３】
請求項１に記載された光書込み装置を備えた画像形成装置。
【請求項４】
前記複数の開口部のうち、レ−ザ光が通過する開口部以外の開口部は、レ−ザ光が通過しないように遮光されていることを特徴とする請求項３に記載の画像形成装置。
【請求項５】
前記遮光部材は、ゴム、樹脂、板金等の材質で形成され、少なくともレ−ザ光のフレア光が照射する範囲が光沢および白色でないことを特徴とする請求項４に記載の画像形成装置。
【請求項６】
前記遮光部材は、樹脂フック、ネジ止め、溶着、溶接、カシメ、あるいは、粘着剤でハウジングに固定されていることを特徴とする請求項４または請求項５に記載の画像形成装置。
【請求項７】
前記光書込み装置が複数設けられていることを特徴とする請求項３ないし請求項６のいずれか１項に記載の画像形成装置。
【請求項８】
前記光書込み装置のうちの少なくとも１台においてレ−ザ光が開口部を通過し、かつ、その他の光書込み装置のうちの少なくとも１台においてレーザ光が前記開口部以外を通過する場合、ポリゴンミラ−と開口部との間に偏向用ミラ−が設けられていることを特徴とする請求項７に記載の画像形成装置。
【請求項９】
前記ポリゴンミラ−と防塵ガラスとの間に複数個のレンズが存在し、前記光書込み装置の偏向用ミラ−は、前記ハウジング内に設置したレンズの中で感光体に最も近いレンズと感光体との間に設置されていることを特徴とする請求項８に記載の画像形成装置。
【発明の詳細な説明】
【０００１】
【発明の属する技術分野】
本発明は、電子写真方式を利用した複写機・複合機やレ−ザプリンタ等の画像形成装置および光書込み装置に関する。
【０００２】
【従来の技術】
図８は、従来例の光書込み装置を搭載した画像形成装置の概略構成図である。同図を用いて電子写真プロセスを概説する。光書込み装置５は、帯電ロ−ラ４の下流近傍にある感光体面を露光するものである。
【０００３】
感光体１は反時計方向に回転され、クリ−ニングブレ−ド２により感光体１表面に付着した残留トナ−が除去され、除電器３で表面電位を下げる。つぎに帯電ロ−ラ４により感光体１の表面が均一に帯電され、上記書込み装置５の露光により静電潜像が形成される。複写機・複合機ではスキャナユニット１１により原稿画像が読み取られ、デジタル信号の画像情報として上記光書込み装置５に送られる。この光書込み装置５は、その画像情報信号レベルに応じて変調制御されたレ−ザ光Ｌを感光体１の表面に主走査方向（図面垂直方向）へ走査し、これにより原稿画像に対応した静電潜像が書き込まれる。
【０００４】
この静電潜像には現像ロ−ラ６を通過する際にトナ−が乗り可視像化される。この画像形成動作と同期して給紙部７からは転写紙が給紙され、感光体１上のトナ−像とレジストを合わせるタイミングで転写器８方向に送られ、転写器８によりトナ−像が転写されるようになっている。転写器８により転写が行われた転写紙は、定着ロ−ラ９によりトナ−の熱定着が行われ、最終的には排紙ロ−ラ１０により転写紙を機外に排出する。
【０００５】
上記転写後の感光体１表面は、再びクリ−ニングブレ−ド２によりクリ−ニングされ、除電及び帯電を受けて次の画像形成工程に進む。また、光書込み装置５は、上述の複写動作に限らず、記憶デ−タやファクシミリ通信時等の受信デ−タに応じた潜像形成を行い、上記と同様のプロセスによって転写紙へ画像を記録することができる。
【０００６】
図９は、従来例の光書込み装置（例えば、特許文献１参照）の全体構成を示し、図９の（ａ）は平面図、図９の（ｂ）は（ａ）のＡ−Ａ線に沿う断面図である。図９の（ａ）において、ハウジング１２は筐体状のもので、カバ−１９はハウジング１２上に取り付けられる。ハウジング１２には、レ−ザダイオ−ド等を用いるレ−ザ光源１３、シリンダレンズ１４、ポリゴンモ−タ１５ｂ、ｆθレンズ１６、シリンダレンズ１７、防塵ガラス１８、等の各部品が設置されている。レ−ザ光源１３は１個でも複数箇所でも問題なく、複数箇所レ−ザ光源１３がある場合、シリンダレンズ１４をレ−ザ光が通過できるよう近接して設置する。防塵ガラス１８、カバ−１９は、装置内をほぼ密閉状態に保ち、内部へチリやホコリ等が侵入することを防止している。
【０００７】
レ−ザ光源１３より出射したレ−ザ光は、シリンダレンズ１４を通り、ポリゴンミラ−１５ａの一反射面に集光し、ｆθレンズ１６、シリンダレンズ１７を経て図示していない感光体に結像する。ここでは、ハウジング１２内に、ｆθレンズ１６、シリンダレンズ１７をそれぞれ配置しているが、両者が一枚のレンズに集約されても機能的に問題ない。
【０００８】
ポリゴンモ−タ１５ｂは、矩形をした制御基板上にポリゴンミラ−１５ａを有し、図示しないポリゴンミラ−１５ａの励磁駆動手段、駆動制御手段等の構成を基板上に計装しユニット化されている。制御基板は、四隅でハウジング１２内の所定位置にネジ止め固定される。この制御基板は、画像形成装置本体から送られる制御信号に基づき、計装した駆動回路によりポリゴンミラ−１５ａを駆動する。この回転駆動によりレ−ザ光Ｌは上記感光体１の軸方向に相当する主走査方向に走査される。なお、図９の（ａ）で説明した光書込み装置５は、穴２０ａ，２０ｂ，２０ｃで図８に示すような画像形成装置にネジ止めされる。
【０００９】
【特許文献１】
特開平１１−１３３３３０号公報
【００１０】
【発明が解決しようとする課題】
従来の構成においては、レ−ザ光Ｌがポリゴンミラ−１５ａで反射されてから感光体１に届くまで全く折り返されておらず、一直線の光路になっている。感光体１にレ−ザ光Ｌが到達するためには、ある一定の隙間ｄが必要である。また、感光体１の露光位置も重要で、帯電ロ−ラ４と現像ロ−ラ６の間に照射されることが必要である。ここで、転写紙の搬送路の変更や現像ユニット等の制約から隙間ｄが感光体１上方に設けられた場合、光書込み装置５は垂直に立てた格好で設置しなければならず、画像形成装置は大きな物になってしまう。そこで従来の構成に折り返しミラ−を追加してやると、感光体１上方からでもレ−ザ光Ｌを到達させることが可能で、画像形成装置の大きさも従来並みに押さえることができる。
【００１１】
ここで両者（折り返しミラ−の有り無し）が同じレンズ系を使用する場合、ハウジング形状は折り返しミラ−の有り無しだけであるため、ほとんど同一形状で２種類のハウジングを持つことは不経済である。
【００１２】
また、開口部が２箇所以上あることで外部からのチリやホコリ等が侵入しやすくなり、レンズ等に付着するとレ−ザ光Ｌが遮られて白スジ等の画像不良が発生する。また、レ−ザ光Ｌのフレア光が開口部から出て感光体１に到達すると、黒スジ等の画像不良が発生する。実際問題として、防塵ガラス、レンズの入射面、出射面での反射光がハウジング内で乱反射して感光体に到達する場合がある。開口部を遮蔽部材で蓋をするとき、蓋の表面が反射しやすいものでできていると、フレア光のエネルギ−が減衰しにくくなり、何度か反射を繰り返すことにより、防塵ガラスからフレア光が出て感光体１に到達し、黒スジ等の画像不良が発生することが考えられる。
【００１３】
また、遮蔽部材がハウジングにしっかり固定されていないと、外部からのチリやホコリ等が侵入しやすくなり、レンズ等に付着すると、レ−ザ光が遮られて白スジ等の不良が発生する。また、振動等によりハウジングと遮蔽部材が干渉して異音を発生することが考えられる。
【００１４】
また、例えばカラ−画像形成装置の場合、感光体と光書込み装置の相対位置関係は、感光体の形態（ドラムまたはベルト）によって異なる。つまり、感光体ベルトの場合、感光体と光書込み装置の相対位置はほぼ同じような関係にすることが可能である。感光体ドラムの場合、４色の感光体ドラムが存在する時、感光体と光書込み装置の相対位置はほぼ同じような関係にあるが、１つしか感光体がない場合、感光体と光書込み装置の相対位置は様々である。そうした場合、４台の光書込み装置は感光体の周辺を近接して設置しなければならないため、光書込み装置の大きさが制限される、あるいは、感光体ドラム径を大きくしないと正しい露光位置にレ−ザ光が照射されないことが考えられる。また、各書込みユニットの水平方向に対する傾きが一定にならず、傾けて取り付けることが考えられるため、ポリゴンモ−タの回転が不安定になることが懸念される。
【００１５】
また、折り返しミラ−を用いずに２箇所以上の開口部を使用する場合には、レ−ザ光の位置を変えたり、ポリゴンミラ−の角度を変化させることにより実現できるが、ハウジングが複雑になり金型製作に時間・費用を要する。
【００１６】
また、ポリゴンミラ−で反射したレ−ザ光が感光体に到達するまでにレンズが複数個存在するとき、レンズの間に折り返しミラ−を設けると、折り返しミラ−後の厚み分ハウジングが大きくなる。また、レンズ間にあまり間隔が取れない場合は部品が密集した状態になり、窮屈な構成になる。
【００１７】
本発明は前記事状に着目してなされたものであり、その目的とするところは、画像不良が無く、ポリゴンミラーを安定して回転させることができるとともに、異音が発生しない経済的な光書込み装置及び画像形成装置を提供することにある。
【００１８】
【課題を解決するための手段】
前記課題を解決するために、請求項１および請求項３に記載された光書込み装置および画像形成装置は、少なくとも１つの近接するレ−ザ光源を有し、該レ−ザ光源から出射されたレ−ザ光を回転するポリゴンミラ−を使用して偏向・走査するポリゴンモ−タと、前記ポリゴンミラ−により走査される１つ以上のレ−ザ光を感光体上へ結合させるレンズ系と、前記ポリゴンモータおよび前記レンズ系を保持するハウジングと、少なくとも前記ポリゴンモ−タおよび前記レンズ系を覆ってハウジング内を密閉するように固定されるカバ−とを備え、前記ハウジングまたは前記カバ−には、レ−ザ光を出射するための開口部が複数箇所存在し、これらの開口部のうちの少なくとも１つからレーザ光が出射し、それ以外の開口部はレーザ光が通過しないように遮光されることを特徴とする。
【００１９】
この請求項１および請求項３に記載された発明によれば、感光体周りのレイアウトが変わり、感光体へのレ−ザ光の入射位置が変わったとしても、折り返しミラ−を取り付けるだけで様々な方向に光軸を変更できるので、新規にハウジングを製作することなく金型修正レベルで対応可能となり、コスト削減できる。また、書込みユニットのリサイクル（他の機械への転用）が容易である。
【００２０】
また、請求項２および請求項４に記載された発明は、請求項１または請求項３に記載された発明において、前記複数の開口部のうち、レ−ザ光が通過する開口部以外の開口部は、レ−ザ光が通過しないように遮光されていることを特徴とする。
【００２１】
この請求項２および請求項４に記載された発明によれば、請求項１または請求項３に記載された発明と同様の作用効果が得られるとともに、開口部からチリやホコリ等が侵入することがなくなり、レンズ等にチリやホコリ等が付着することによりレ−ザ光が遮られて白スジ等の画像不良が発生したり、レ−ザ光のフレア光が開口部から出て感光体に到達することによる黒スジ等の画像不良がなくなる。
【００２２】
また、請求項５に記載された発明は、請求項４に記載された発明において、前記遮光部材は、ゴム、樹脂、板金等の材質で形成され、少なくともレ−ザ光のフレア光が照射する範囲が光沢および白色でないことを特徴とする。
【００２３】
この請求項５に記載された発明によれば、請求項４に記載された発明と同様の作用効果が得られるとともに、遮光部材にレ−ザ光（フレア光）が当たって反射しても、そこでレ−ザパワ−が減衰される率が高くなり、感光体に到達しても黒スジ等の画像不良がなくなる。
【００２４】
また、請求項６に記載された発明は、請求項５に記載の発明において、前記遮光部材は、樹脂フック、ネジ止め、溶着、溶接、カシメ、あるいは、粘着剤でハウジングに固定されていることを特徴とする。
【００２５】
この請求項６に記載された発明によれば、請求項５に記載された発明と同様の作用効果が得られるとともに、ハウジングと遮光部材の隙間がなくなり、開口部からチリやホコリ等が侵入することがなくなるので、レンズ等にチリやホコリ等が付着することによりレ−ザ光が遮られて白スジ等の画像不良が発生することがなくなる。また、ハウジングと遮光部材の干渉がなくなり異音等の発生の心配がない。
【００２６】
また、請求項７に記載された発明は、請求項３ないし請求項６のいずれか１項に記載の発明において、前記光書込み装置が複数設けられていることを特徴とする。
【００２７】
この請求項７に記載された発明によれば、請求項３ないし請求項６のいずれか１項に記載された発明と同様の作用効果が得られるとともに、画像形成装置が複数の光書込み装置を有する場合でも、書込みユニットを傾けなくても感光体に任意の方向からレ−ザ光を入射させることが可能となり、書込みユニットを水平に保つことも可能なのでポリゴンモ−タの回転も安定し、ハウジングも１種類の金型でまかなえ、金型代が削減できる。また、類似の書込みユニットなのでレンズの組付け等での治工具も共通使用できる。
【００２８】
また、請求項８に記載された発明は、請求項７に記載の発明において、前記光書込み装置のうちの少なくとも１台においてレ−ザ光が開口部を通過し、かつ、その他の光書込み装置のうちの少なくとも１台においてレーザ光が前記開口部以外を通過する場合、ポリゴンミラ−と開口部との間に偏向用ミラ−が設けられていることを特徴とする。
【００２９】
この請求項８に記載された発明によれば、請求項７に記載された発明と同様の作用効果が得られるとともに、折り返しミラ−を取り付けるだけで様々な方向にレ−ザ光路を変更できるので、予め折り返しミラ−を取り付けるように設計しておけば、新規にハウジングを製作することなくなりコスト削減できる。また、書込みユニットのリサイクルが容易である。
【００３０】
また、請求項９に記載された発明は、請求項８に記載の発明において、前記ポリゴンミラ−と防塵ガラスとの間に複数個のレンズが存在し、前記光書込み装置の偏向用ミラ−は、前記ハウジング内に設置したレンズの中で感光体に最も近いレンズと感光体との間に設置されていることを特徴とする。
【００３１】
この請求項９に記載された発明によれば、請求項８に記載された発明と同様の作用効果が得られるとともに、従来とほぼ同じ大きさでハウジングを製作できるため、従来機並みの大きさの機械にすることができる。
【００３２】
【発明の実施の形態】
以下、図面を参照しつつ本発明の実施形態について説明する。なお、以下の実施形態において、図４および図５と共通する構成部分については、同一符号を付して、その詳細な説明を省略する。
【００３３】
図１において、ハウジング１２には開口部５２が設けられている。開口部５２は、感光体１に最も近いシリンダレンズ１７と防塵ガラス１８との間に位置している。開口幅は、長手方向は画像書込み幅に応じた長さ、短手方向はレ−ザ光が切り欠き部によってけられることのないような幅を取っておく。図示しないが、開口部５２をカバ−１９に設けても同様の効果が得られる。なお、図３の（ｂ）に示すように折り返しミラ−５８を用いると、容易に光路を変更することができる。当然のことながら、折り返しミラ−５８により反射したレ−ザ光は、開口部５２を透過できるようになっている。近接したレ−ザ光源が複数個存在しても同様である。
【００３４】
通常、レ−ザ光Ｌは、防塵ガラス１８を有する開口部側より出射されるため、他方の開放部５２は遮蔽部材５３で塞いでおく。遮蔽部材５３の材質は、ゴム、樹脂、板金等を用い、レ−ザ光のフレア光が当たっても表面で反射しにくいように、また、レ−ザパワ−が減衰しやすいように、シボ加工等により光沢面にならないようにしておく。また、白色でないようにして、全反射しないようにしておく。この処理、加工は少なくともハウジング１２の内部には施しておく。
【００３５】
次に、図２を参照しながら、遮蔽部材５３の取り付け方法を説明する。
【００３６】
遮蔽部材５３は、開口部５２を塞ぐためのものである。突起部５１は遮蔽部材５３に設けた穴５４により位置決めされる。図２の（ｃ）のように予め遮蔽部材５３に両面テ−プ５６を接着しておけば、ハウジング１２に遮蔽部材５３を置くだけで穴を塞ぐことができる。
【００３７】
図２の（ａ）は、ハウジング１２に設けた突起５１（５１ａ，５１ｂ）に、遮蔽部材５３の穴５４（５４ａ，５４ｂ）を挿入した状態である。位置決め用としてこれらを用いることもできるが、ハウジング１２が樹脂で成形されている場合、熱カシメ用にも使用できる。突起５１を遮蔽部材５３から飛び出すように設定しておき、熱で突起５１をつぶして遮蔽部材５３を固定する。図２の（ｂ）は、ネジ止めする方法である。突起５１の代わりにネジ穴５９を設けておけばよい。
【００３８】
図２の（ｄ）は、樹脂フック５７により固定する方法である。遮蔽部材５３の長手方向数箇所に樹脂フック５７を設けておく。図上方より遮蔽部材５３を落とすと、樹脂フック５７の根元で弾性変形によりたわみが生じ、樹脂フック５７間の隙間が広がり遮蔽部材５３が下方に降りて、遮蔽部材５３とハウジング１２が接すると、爪の部分が引っかかって外れなくなる構成である。図示しないが、溶接等によっても固定可能である。遮蔽部材５３は、防塵ガラス１８とほぼ同じ大きさになるように設定し、相互に設置できるようにしておく。防塵ガラス１８を固定する方法としては、両面テ−プや樹脂フックを用いる方法が一般的である。
【００３９】
次に、図３を参照しながら、複数の書込みユニットを有する画像形成装置の一実施例を説明する。ここでは説明を簡単にするために２台の書込みユニットにしているが、フルカラ−の画像形成装置のように４台用いても問題ない。
【００４０】
図３の（ａ）（ｂ）は同じハウジング１２を用いている。図３の（ｃ）では２台の書込みユニット６０，６１から感光体１にレ−ザ光Ｌが照射される概念図である。感光体１に到達するレ−ザ光は近接した位置で焦光している。書込みユニット６１は、図３の（ａ）で示す書込みユニットである。ポリゴンミラ−１５ａで反射されたレ−ザ光が、レンズ群１６，１７を通り、防塵ガラス１８を通過して感光体１にいたる。ハウジング１２にはレ−ザ光が通過する開口部が２箇所有り、前述した開口部は防塵ガラス１８により、また開口部５２は遮蔽部材５３により塞がれている。図３の（ｃ）では書込みユニットが水平になるように配置しているが、傾けても問題ない場合は同じ書込みユニットを用いてもよい。ここでは開口部を２箇所にしたが、それ以上でも可能で、開口部をカバ−１９側に設けてもよい。
【００４１】
書込みユニット６０では、図２の（ｂ）で示す書込みユニットにおいて折り返しミラ−５８を用いてレ−ザ光を偏向させている。折り返しミラ−５８の取り付け角度を変化できるようにしておけばＬの向きを変えることは容易である。偏向させられたレ−ザ光Ｌは、開口部５２を塞ぐように設置された防塵ガラス１８を通って感光体１に到達する。折り返しミラ−５８の設置場所は、シリンダレンズ１７と防塵ガラス１８の間に位置するようにしておく。
【００４２】
このように、前述した実施形態では、ポリゴンモータ１５ｂおよびレンズ系を保持するハウジング１２と、少なくともポリゴンモ−タ１５ｂおよびレンズ系を覆ってハウジング１２内を密閉するように固定されるカバ−１９とが設けられ、ハウジング１２またはカバ−１９には、レ−ザ光を出射するための開口部が複数箇所存在するため、感光体周りのレイアウトが変わり、感光体へのレ−ザ光の入射位置が変わったとしても、折り返しミラ−を取り付けるだけで様々な方向に光軸を変更できるので、新規にハウジングを製作することなく金型修正レベルで対応可能となり、コスト削減できる。また、書込みユニットのリサイクル（他の機械への転用）が容易である。
【００４３】
また、本実施形態において、複数の開口部のうち、レ−ザ光が通過する開口部以外の開口部は、レ−ザ光が通過しないように遮光されている。そのため、開口部からチリやホコリ等が侵入することがなくなり、レンズ等にチリやホコリ等が付着することによりレ−ザ光が遮られて白スジ等の画像不良が発生したり、レ−ザ光のフレア光が開口部から出て感光体に到達することによる黒スジ等の画像不良がなくなる。
【００４４】
また、本実施形態において、遮光部材５３は、ゴム、樹脂、板金等の材質で形成され、少なくともレ−ザ光のフレア光が照射する範囲が光沢および白色でない。そのため、遮光部材５３にレ−ザ光（フレア光）が当たって反射しても、そこでレ−ザパワ−が減衰される率が高くなり、感光体に到達しても黒スジ等の画像不良がなくなる。
【００４５】
また、本実施形態において、遮光部材５３は、樹脂フック、ネジ止め、溶着、溶接、カシメ、あるいは、粘着剤でハウジングに固定されている。そのため、ハウジング１２と遮光部材５３の隙間がなくなり、開口部からチリやホコリ等が侵入することがなくなるので、レンズ等にチリやホコリ等が付着することによりレ−ザ光が遮られて白スジ等の画像不良が発生することがなくなる。また、ハウジング１２と遮光部材５３の干渉がなくなり異音等の発生の心配がない。
【００４６】
また、本実施形態においては、光書込み装置が複数設けられているため、書込みユニットを傾けなくても感光体に任意の方向からレ−ザ光を入射させることが可能となり、書込みユニットを水平に保つことも可能なのでポリゴンモ−タの回転も安定し、ハウジングも１種類の金型でまかなえ、金型代が削減できる。また、類似の書込みユニットなのでレンズの組付け等での治工具も共通使用できる。
【００４７】
また、本実施形態においては、光書込み装置のうちの少なくとも１台においてレ−ザ光が開口部を通過し、かつ、その他の光書込み装置のうちの少なくとも１台においてレーザ光が前記開口部以外を通過し、ポリゴンミラ−と開口部との間に偏向用ミラ−が設けられている。そのため、折り返しミラ−を取り付けるだけで様々な方向にレ−ザ光路を変更できるので、予め折り返しミラ−を取り付けるように設計しておけば、新規にハウジングを製作することなくなりコスト削減できる。また、書込みユニットのリサイクルが容易である。
【００４８】
また、本実施形態において、ポリゴンミラ−１５ａと防塵ガラス１８との間に複数個のレンズが存在し、光書込み装置の偏向用ミラ−は、ハウジング１２内に設置したレンズの中で感光体１に最も近いレンズと感光体１との間に設置されている。そのため、従来とほぼ同じ大きさでハウジングを製作できるため、従来機並みの大きさの機械にすることができる。
【００４９】
なお、図３のように各開口部５２が同一平面上にない場合、開口部５２のうちの１つ（図３では、底面の開口部）を大きくする（出射光が直接に当たる側面の開口部よりも、偏向ミラー５８で反射して出射する側面の開口部の方を大きくする）ことで、感光体１周りのレイアウト変更時や様々な機種への汎用性が更に高まる。
【００５０】
図４は第１の変形例を示している。この変形例では、図３と同様に底面と側面に開口部５２が設けられているが、これらの開口部５２は、いつでも除去できるような形態（例えば薄肉）の遮光部材（開口予備部）５３Ａによって閉じられている。そして、レイアウトが決定した後に、いずれかの開口部５２（図では、側面の開口部）が開口される。
【００５１】
図５は第２の変形例を示している。この変形例では、底面に２つの開口部５２が設けられている。一方の開口部には遮光部材５３が設けられ、他方の開口部５２にはレンズ１８が設けられている。このような構成では、偏向ミラー５８を図中に破線で示される位置から実線で示される位置へとずらすだけで、レイアウト変更が可能になる。
【００５２】
図６は第３の変形例を示している。この変形例では、側面と底面にそれぞれ開口部５２が設けられている。側面の開口部５２は開口されており、通常は、この開口部５２からレーズ光Ｌが出射されるが、レイアウト変更後は、この側面の開口部５２が遮光部材５３によって閉じられるとともに、底面の開口部５２に設けられていた薄肉の遮光部材（開口予備部）５３Ａが除去され、この底面の開口部５２からレーザ光Ｌが出射される。この場合、偏向ミラー５８を追加して、直線的に導かれるレーザ光Ｌを底面の開口部５２へと折り返す。
【００５３】
図７は第４の変形例を示している。この変形例は第３の変形例の更なる変形であり、図６の構成に加えて、底面に更にもう１つの開口部５２が設けられている。この開口部５２も通常は薄肉の遮光部材（開口予備部）５３Ａで閉じられており、必要に応じて開口される。
【００５４】
【発明の効果】
請求項１および請求項３に記載された発明によれば、感光体周りのレイアウトが変わり、感光体へのレ−ザ光の入射位置が変わったとしても、折り返しミラ−を取り付けるだけで様々な方向に光軸を変更できるので、新規にハウジングを製作することなく金型修正レベルで対応可能となり、コスト削減できる。また、書込みユニットのリサイクル（他の機械への転用）が容易である。
【００５５】
請求項２および請求項４に記載された発明によれば、請求項１または請求項３に記載された発明と同様の作用効果が得られるとともに、開口部からチリやホコリ等が侵入することがなくなり、レンズ等にチリやホコリ等が付着することによりレ−ザ光が遮られて白スジ等の画像不良が発生したり、レ−ザ光のフレア光が開口部から出て感光体に到達することによる黒スジ等の画像不良がなくなる。
【００５６】
請求項５に記載された発明によれば、請求項４に記載された発明と同様の作用効果が得られるとともに、遮光部材にレ−ザ光（フレア光）が当たって反射しても、そこでレ−ザパワ−が減衰される率が高くなり、感光体に到達しても黒スジ等の画像不良がなくなる。
【００５７】
請求項６に記載された発明によれば、請求項５に記載された発明と同様の作用効果が得られるとともに、ハウジングと遮光部材の隙間がなくなり、開口部からチリやホコリ等が侵入することがなくなるので、レンズ等にチリやホコリ等が付着することによりレ−ザ光が遮られて白スジ等の画像不良が発生することがなくなる。また、ハウジングと遮光部材の干渉がなくなり異音等の発生の心配がない。
【００５８】
請求項７に記載された発明によれば、請求項３ないし請求項６のいずれか１項に記載された発明と同様の作用効果が得られるとともに、画像形成装置が複数の光書込み装置を有する場合でも、書込みユニットを傾けなくても感光体に任意の方向からレ−ザ光を入射させることが可能となり、書込みユニットを水平に保つことも可能なのでポリゴンモ−タの回転も安定し、ハウジングも１種類の金型でまかなえ、金型代が削減できる。また、類似の書込みユニットなのでレンズの組付け等での治工具も共通使用できる。
【００５９】
請求項８に記載された発明によれば、請求項７に記載された発明と同様の作用効果が得られるとともに、折り返しミラ−を取り付けるだけで様々な方向にレ−ザ光路を変更できるので、予め折り返しミラ−を取り付けるように設計しておけば、新規にハウジングを製作することなくなりコスト削減できる。また、書込みユニットのリサイクルが容易である。
【００６０】
請求項９に記載された発明によれば、請求項８に記載された発明と同様の作用効果が得られるとともに、従来とほぼ同じ大きさでハウジングを製作できるため、従来機並みの大きさの機械にすることができる。
【図面の簡単な説明】
【図１】本発明の一実施形態に係る光書込み装置の全体構成を示す。
【図２】開口部近傍を切断した時の遮蔽部材の取り付け方法を説明する図であり、（ａ）および（ｂ）は図１のＢ−Ｂ線に沿う断面図、（ｃ）および（ｄ）は図１のＢ−Ｂ断面と直交する方向に切断した断面図である。
【図３】（ａ）および（ｂ）は図１のＣ−Ｃ線に沿う断面図、（ｃ）は複数箇所の書込みユニットを有する場合の一実施例である。
【図４】第１の変形例に係る断面図である。
【図５】第２の変形例に係る断面図である。
【図６】第３の変形例に係る断面図である。
【図７】第４の変形例に係る断面図である。
【図８】従来の光書込み装置を搭載した画像形成装置の概略構成図である。
【図９】従来の光書込み装置の全体構成を示し、（ａ）は平面図、（ｂ）は（ａ）のＡ−Ａ線に沿う断面図である。
【符号の説明】
１      感光体
１２    ハウジング
１５ａ  ポリゴンミラ−
１５ｂ  ポリゴンモ−タ
１９    カバー
５２    開口
【図１】
2004279632.tif 000003
【図２】
2004279632.tif 000004
【図３】
2004279632.tif 000005
【図４】
2004279632.tif 000006
【図５】
2004279632.tif 000007
【図６】
2004279632.tif 000008
【図７】
2004279632.tif 000009
【図８】
2004279632.tif 000010
【図９】
2004279632.tif 000011